(57)【要約】      （修正有）【課題】ペットを包み、保温する機能性及び衣服のデザイン性を損なわない範囲で尿による汚れや悪臭を防止する簡易に脱着できる犬等ペットの衣服を提供する。【解決手段】ペットの胴体を覆い、両前足をそれぞれ挿通する孔を有する略筒状の衣服であって、背部生地と腹部生地により構成され、かつ、少なくとも腹部生地が撥水性を有する生地であることにより尿による衣服の汚れや悪臭を防止する衣服を提供することができるペット用衣服である。【選択図】図１
0003144166.tif 000002
【実用新案登録請求の範囲】
【請求項１】
ペットの胴体を覆い、両前足をそれぞれ挿通する孔を有する略筒状の衣服であって、背部生地と腹部生地により構成され、かつ、少なくとも腹部生地が撥水性を有する生地であることを特徴とするペット用衣服
【請求項２】
前記略筒状衣服の形状において、腹部生地の後足側に切り欠き部を形成することにより衣服への尿の付着を減じることを特徴とする請求項１に記載のペット用衣服
【請求項３】
前記切り欠き部の形状を略放物線形状とすることを特徴とする請求項１ないし２に記載のペット用衣服
【請求項４】
前記ペット用衣服の後足側端部周囲に伸縮固定体を備えることにより切り欠き部の位置ずれを防止することを特徴とする請求項１ないし３に記載のペット用衣服
【請求項５】
前記腹部生地の両側面を背部生地と切り離し、結合手段を介して背部と一体化させる構成とすることによって、腹部生地を背部生地から取り外し及び結合自在としたことを特徴とする請求項１ないし４に記載のペット用衣服
【考案の詳細な説明】
【技術分野】
【０００１】
本考案は、ペット、特に犬に着せる衣服に関するものであり、ペットの尿による衣服の汚れや臭いを防止する技術に関するものである。
【背景技術】
【０００２】
近年ペット飼育数は高水準に推移しており、わが国の犬の飼育数は約１，３００万匹に達している。犬の飼育態様としては、住宅事情も影響して、家の中で飼うケースが多くなっている。
【０００３】
一方、犬等のペットは運動のために毎日１〜２回散歩させることが必要である。この場合、家庭内で飼育された犬等のペットを冬季に散歩させる場合には防寒用の衣服が必要になる。又、飼い主の犬等ペットへの愛情からデザイン性の高い衣服を着せて散歩させることも多い。
【０００４】
犬等ペットに衣服を着せた場合、散歩の途中等において小用を足す際に尿が衣服に掛かることがある。すぐに帰宅して衣服を水洗いしたり取り替えたりすることは困難である。一方、そのまま放置して散歩を続けると、衣服が汚れてシミになり、細菌が付着し、においが染み付くこととなる。飼い主にとって頭の痛い問題であった。ペットの衣服が単に防寒という機能的な役割を中心とした存在に留まらずに、飼い主の趣味嗜好を反映したおしゃれなものとなるに伴い、この問題はさらに深刻度を増している。
【０００５】
犬の尿による汚れを防止するために、犬におむつを装着させたり、排せつ物収納部を有するパンツを装着させる発明又は考案がある（特許文献１，２，３）。しかし、おむつやパンツを装着すると動きが不自由になるので、犬は装着を嫌がる。又、排泄物を付けたままの不快感を引きずることともなる。
【０００６】
又、１面の布又は紙を折り曲げた袋状体を犬の衣服とする考案がある（特許文献４）。しかし、パンツ状で犬に装着させるので手間がかかり、排泄孔からの排泄では衣服の汚れを有効に防止できない。  
【０００７】
又、筒状の動物用胴衣に関する考案もある（特許文献５）。しかし、胴衣の腹部に横断的に薬剤を塗布等して害虫を排除するものであり、本考案とは異なる。
【０００８】
【特許文献１】実登３０１９２２３
【特許文献２】特開平０７−２４６０３６
【特許文献３】実開平０７−１７０５０
【特許文献４】実開昭５３−３３６８６
【特許文献５】実開昭６１−５４３５０
【考案の開示】
【考案が解決しようとする課題】
【０００９】
本考案はこれらの問題点を解決するために、小便による汚れや悪臭を防止する簡易に脱着できる犬等ペットの衣服の提供を目的とするものである。
【課題を解決するための手段】
【００１０】
本考案によれば、ペットの胴体を覆い、両前足をそれぞれ挿通する孔を有する略筒状の衣服であって、背部生地と腹部生地により構成され、かつ、少なくとも腹部生地が撥水性を有する生地であることを特徴とするペット用衣服が提供される。本考案に係る衣服はペットの胴体部分を覆い、後足側は開放されている。衣服は背部を覆う生地と腹部を覆う生地の２の生地により構成されており、少なくとも腹部を覆う生地は撥水加工を施されている。ペットが小便をしたとき尿や尿の飛沫は腹部方向に飛び、ペット衣服に付着するが、撥水加工を施されている腹部生地上では、尿は大きな対水接触角の水滴となって保持される。この水滴は小便の後のペットの歩行、運動によって自然に振り落される。
【００１１】
又、前記略筒状衣服の形状において、腹部生地の後足側に切り欠き部を形成することにより衣服への尿の付着を減じることを特徴とする前期記載のペット用衣服が提供される。腹部生地に撥水加工を施している場合であっても強い摩擦等によって撥水性が低下する場合もあり、又、排尿孔に近い部分ほど激しく尿が付着する。したがって、ペットを包み、保温する機能性及び衣服のデザイン性を損なわない範囲で、尿が衣服に付着しないように後足側に切り欠き部を設けることが合理的である。  
【００１２】
又、前記切り欠き部の形状を略放物線形状とすることを特徴とする前記記載のペット用衣服が提供される。尿は主に前方に飛ぶので付着防止のために切り欠き部分を同心円の形状にする必要はない。一方、切り欠き部分を円形にすると、衣服に覆われない部分が増えて保温機能の低下、腹部生地の後足側の幅が細くなりすぎることによる縫製加工のしにくさが生じる。
切り欠き形状を略放物線とすることによって、問題点の発生を防止しつつ切り欠き部の大きさを最小化することができる。
【００１３】
又、前記ペット用衣服の後足側端部周囲に伸縮固定体を備えることにより切り欠き部の位置ずれを防止することを特徴とする前記記載のペット用衣服が提供される。ペットの腰は伸縮固定体を備えたぺット用衣服の後足側端周囲部により把持される。ペットが走行したり、転げまわったりしても衣服の位置がずれることはない。
【００１４】
又、前記腹部生地の両側面を背部生地と切り離し、結合手段を介して背部と一体化させる構成とすることによって、腹部生地を背部生地から取り外し及び結合自在としたことを特徴とする前記記載のペット用衣服が提供される。
【考案の効果】
【００１５】
本考案によって、尿が付着する場合でも腹部生地の撥水性により接触角の大きな水滴状となって付着する。又、犬等のペットは散歩の間激しく動き回るのが常であるから、かかる接触角の大きな水滴は容易に振り落とされる。腹部生地は変色や細菌の繁殖を防止でき、悪臭を防ぐことも可能となる。ペットが走り回ることによって、水たまりの水が飛び跳ねて、腹部生地に付着する場合にも同様に変色等を防止することができる。飼い主は後の始末を気にせずに散歩を楽しむことができる。
【００１６】
腹部生地に付着した尿の水滴は容易に振り落とされるものの、腹部生地を尿が付着しにくい形状とすることはより好ましい。切り欠き部を備えることによって、衣服全体の保温機能を維持しつつ尿の付着を防止することができる。又、腹部に切り欠き部を設けても、ペットを見下ろす人間の視線からは切り欠き部を確認することは困難である。したがって、切り欠き部分の形状によって衣服の見栄えが悪くなるおそれもない。
【００１７】
切り欠き部は略放物線形状であることがより好ましい。略放物線形状とすることにより切り欠き部の面積の最小化が可能となり、保温効果の低下を妨げることができる。
【００１８】
後足側端部周囲に備えられた伸縮固定体により衣服の横方向へのずれ（回転）が防止されることにより、切り欠き部の横ずれに伴う切り欠き部の左右側面へ尿の付着を防止できる。また、衣服の前後方向へのずれの防止により、保温効果の低減を防止することができる。
【００１９】
腹部生地の両側面を背部から切り離すことによって、腹部生地のみ水洗い、洗濯、乾燥等をすることができる。又、通常の衣服の脱着をする場合には、両側面のうち片側のみ切り離し又は結合することによって脱着すれば良い。切り離し又は結合部分がペットの側面にあるので、人間が衣服を脱着する際に腹部生地の中央部（すなわち、ペットが立っている状態ではペットの下部）に分割面を設けるよりもより容易に脱着をすることができる。
【考案を実施するための最良の形態】
【００２０】
以下、本考案の最良の実施形態に係るペット衣服について、図面を参照しつつ詳細に説明する。
【００２１】
図１は、本考案に係るペット用衣服１の正面図である。本図は、犬等のペットが本考案に係るペット用衣服を装着して歩行等する場合における地面側を視点とした図である。ペット用衣服は背部生地２と腹部生地３により構成されており、背部生地２と腹部生地３は縫合されて一体化されている。
【００２２】
ペット用衣服１は略筒状の形状で、上部は頭部を挿通する頭部挿通孔９を、下部は腰部を包む腰包容部１１をそれぞれ形成する。腹部には両前足を挿通する前足挿通孔１０が形成されている。腰包容部１１、頭部挿通孔９、前足挿通孔１０には略円形の周囲にゴムを内包した伸縮固定体１２が装着されている。伸縮固定体１２は腰部、頭部、前足における本ペット衣服の腰包容部、頭部挿通部、前足挿通部の位置を変えずに保持できるものであれば良く、ゴムを内包したものに限られない。
【００２３】
腹部生地３は右腹部生地４と左腹部生地５に分離しており、中央部に並んだホックにより結合・分離が自在に構成されている。腹部生地の素材としてはポリエステルを使用し、さらにフッ素による撥水加工を施している。撥水加工は、フッ素やシリコン系の樹脂を繊維の表面に練りこむことにより繊維表面に皮膜を形成するものである。フッ素等の皮膜により大きな対水接触角の水滴が形成されて繊維の中に侵入しない、いわゆる水を弾く効果をもたらすが、一方、空気は繊維の隙間を通過するので、通気性は確保できる。撥水加工については既知なので詳細は省略する。なお、腹部生地の素材としては、ポリエステルに限定されるものではないが、綿等の天然繊維は表面のこすれによってフッ素等の樹脂の並びが乱れ、撥水性が低下するので、ポリエステル、ナイロン等の化学繊維が好ましい。腹部生地３には、切り欠き部７設けられている。切り欠き部の形状は略放物線形状となっている。
【００２４】
図２は、本考案に係るペット用衣服１の側面図である。頭部挿通孔９は犬の首周りに沿って傾斜した形状をなしている。腰包容部１１も犬の尾付近から腹部に向かって傾斜した形状をなして腰全体を覆っている。前足挿通孔１０は前足の運動を妨げないように前足全体を露出させている。  
【００２５】
図３は、本考案に係るペット用衣服１の背面図である。背部生地２の素材としては通気性確保の観点から木綿を使用している。化学繊維は一般に通気性や吸湿性で天然繊維に劣る。したがって、限定されるものではないが天然繊維を使用することが好ましい。天然繊維としては木綿に限定されないことは勿論である。雨中の散歩用に背部にホック等の結合手段を設け、レインコートを結合させることも可能である。又、背部生地の素材にも撥水加工を施せば、レインコートなしでも雨による胴体部分の濡れを一定程度防止することができる。
【００２６】
図５は、本考案に係るペット用衣服を犬に装着させた場合の概念図である。ペット用衣服１は犬の胴体をすっぽり覆い、尾の際まで腰部を包容している。腹部生地３に形成された欠落部７（図示していない）は人の目線、すなわち斜め上方向からの目線からは視認できない。したがって、模様を付加したおしゃれなペット用衣服であっても、欠落部の形成によってデザイン性が損なわれることはない。又、犬の体の露出を制限することによって保温効果の低下を防止している。
【００２７】
散歩中に犬が小便をしたときの態様を図１に基づいて説明する。小便は図の上方に飛び、欠落部の中央部から腹部生地の下部にかけて尿が付着する。腹部生地は犬の腹部全体を覆っているので背部生地に尿が付着することはない。犬の腹部に直接付着した尿は自然乾燥され、腹部生地に付着した尿は、大きな対水接触角の水滴となって腹部生地に浸透せずに不安定に腹部生地表面に留まる。その後、犬が駆け回ると表面の水滴は容易に落下することとなる。犬等のペットは動きが激しいので、自然の動作の中で尿の水滴が落下し、細菌の繁殖や悪臭の付着を防止することができる。
【００２８】
図４に基づいて、別の構成によるペット衣服について説明する。図４に記載しているペット用衣服の腹部生地は背部生地と縫合されておらず、腹部生地の両側面に並んだホックにより背部生地との結合・分離が自在に構成されている。腹部生地は２つに分離されていない。その他は図１と同様である。本図によるペット衣服の場合、腹部生地を背部生地より切り離すことができる。付着した尿は落下するがより清潔に保ちたい場合、腹部に付着しやすい泥等の汚れを落としたい場合等腹部生地を洗濯する必要性は高い。又、腹部生地はポリエステル等洗濯後の乾燥が早い。このため、腹部生地のみ洗濯をすることができると便宜である。本構成による尿の付着及びその後の落下等の態様は図１の場合と同様である。
【産業上の利用可能性】
【００２９】
本考案に係るペット用衣服は犬を始めとするペットの飼育家庭に尿による衣服の汚れや悪臭を防止する衣服を提供するもので、産業上の利用可能性は高いものである。
【図面の簡単な説明】
【００３０】
【図１】本考案に係るペット用衣服の正面図
【図２】本考案に係るペット用衣服の側面図
【図３】本考案に係るペット用衣服の背面図
【図４】本考案に係る別のペット用衣服の正面図
【図５】本考案に係るペット用衣服の装着概念図
【符号の説明】
【００３１】
１      ペット用衣服
２      背部生地
３      腹部生地
４      右腹部生地
５      左腹部生地
６      接合部
７      切り欠き部
８      ホック
９      頭部挿通孔
１０    前足挿通孔
１１    腰包容部
１２    伸縮固定体
【図１】
0003144166.tif 000003
【図２】
0003144166.tif 000004
【図３】
0003144166.tif 000005
【図４】
0003144166.tif 000006
【図５】
0003144166.tif 000007